(57)【要約】  無線ネットワークノード、ワイヤレスデバイス、及び関連する方法が説明される。ある観点によれば、第１無線アクセス技術及び第２無線アクセス技術が同一のキャリア上で共存する場合において、第１無線アクセス技術のリファレンス信号が第２無線アクセス技術のリファレンス信号と衝突する場合に、第１無線アクセス技術のリファレンス信号のシンボル位置が移動され又は変更され得る。
2022502895.tif 000002
【特許請求の範囲】
【請求項１】
第１無線アクセス技術及び第２無線アクセス技術に従って動作する無線ネットワークノードにおける方法であって、前記方法は、
前記第１無線アクセス技術に従って動作するワイヤレスデバイスへダウンリンク送信信号を送信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する、送信すること、を含む、方法。
【請求項２】
請求項１に記載の方法であって、前記第１無線アクセス技術及び前記第２無線アクセス技術が同一のキャリア上で共存していることを示すインジケーションを前記ワイヤレスデバイスへ送信すること、をさらに含む、方法。
【請求項３】
請求項２に記載の方法であって、前記インジケーションは、ブロードキャストシグナリングにおいて又は専用シグナリングにおいて送信される、方法。
【請求項４】
請求項２に記載の方法であって、前記インジケーションは、システム情報ブロック（ＳＩＢ）メッセージにおいて又は無線リソース制御（ＲＲＣ）メッセージにおいて送信される、方法。
【請求項５】
請求項４に記載の方法であって、前記インジケーションは、前記ＲＲＣメッセージの情報要素におけるパラメータである、方法。
【請求項６】
請求項５に記載の方法であって、前記パラメータは、lte-CRS-ToMatchAroundというパラメータである、方法。
【請求項７】
請求項１〜６のいずれか１項に記載の方法であって、前記第２シンボル位置は、前記第１シンボル位置の前である、方法。
【請求項８】
請求項７に記載の方法であって、前記第２シンボル位置は、前記第１シンボル位置の少なくとも１シンボル前である、方法。
【請求項９】
請求項１〜６のいずれか１項に記載の方法であって、前記第２シンボル位置は、前記第１シンボル位置の後である、方法。
【請求項１０】
請求項９に記載の方法であって、前記第２シンボル位置は、前記第１シンボル位置の少なくとも１シンボル後である、方法。
【請求項１１】
請求項１〜１０のいずれか１項に記載の方法であって、前記第１無線アクセス技術は、新無線（ＮＲ）無線アクセス技術である、方法。
【請求項１２】
請求項１〜１１のいずれか１項に記載の方法であって、前記第２無線アクセス技術は、ロングタームエボリューション（ＬＴＥ）無線アクセス技術である、方法。
【請求項１３】
請求項１〜１２のいずれか１項に記載の方法であって、前記第１無線アクセス技術の前記リファレンス信号は、復調リファレンス信号（ＤＭＲＳ）である、方法。
【請求項１４】
請求項１〜１３のいずれか１項に記載の方法であって、前記第２無線アクセス技術の前記リファレンス信号は、共通又はセルリファレンス信号（ＣＲＳ）である、方法。
【請求項１５】
第１無線アクセス技術及び第２無線アクセス技術に従って動作するように構成される無線ネットワークノードであって、前記無線ネットワークノードは、
前記第１無線アクセス技術に従って動作するワイヤレスデバイスへダウンリンク送信信号を送信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する、送信すること、
を行うように適合される、無線ネットワークノード。
【請求項１６】
請求項１５に記載の無線ネットワークノードであって、前記第１無線アクセス技術及び前記第２無線アクセス技術が同一のキャリア上で共存していることを示すインジケーションを前記ワイヤレスデバイスへ送信する、ようにさらに適合される、無線ネットワークノード。
【請求項１７】
請求項１６に記載の無線ネットワークノードであって、前記インジケーションは、ブロードキャストシグナリングにおいて又は専用シグナリングにおいて送信される、無線ネットワークノード。
【請求項１８】
請求項１６に記載の無線ネットワークノードであって、前記インジケーションは、システム情報ブロック（ＳＩＢ）メッセージにおいて又は無線リソース制御（ＲＲＣ）メッセージにおいて送信される、無線ネットワークノード。
【請求項１９】
請求項１８に記載の無線ネットワークノードであって、前記インジケーションは、前記ＲＲＣメッセージの情報要素におけるパラメータである、無線ネットワークノード。
【請求項２０】
請求項１９に記載の無線ネットワークノードであって、前記パラメータは、lte-CRS-ToMatchAroundというパラメータである、無線ネットワークノード。
【請求項２１】
請求項１５〜２０のいずれか１項に記載の無線ネットワークノードであって、前記第２シンボル位置は、前記第１シンボル位置の前である、無線ネットワークノード。
【請求項２２】
請求項２１に記載の無線ネットワークノードであって、前記第２シンボル位置は、前記第１シンボル位置の少なくとも１シンボル前である、無線ネットワークノード。
【請求項２３】
請求項１５〜２０のいずれか１項に記載の無線ネットワークノードであって、前記第２シンボル位置は、前記第１シンボル位置の後である、無線ネットワークノード。
【請求項２４】
請求項２３に記載の無線ネットワークノードであって、前記第２シンボル位置は、前記第１シンボル位置の少なくとも１シンボル後である、無線ネットワークノード。
【請求項２５】
請求項１５〜２４のいずれか１項に記載の無線ネットワークノードであって、前記第１無線アクセス技術は、新無線（ＮＲ）無線アクセス技術である、無線ネットワークノード。
【請求項２６】
請求項１５〜２５のいずれか１項に記載の無線ネットワークノードであって、前記第２無線アクセス技術は、ロングタームエボリューション（ＬＴＥ）無線アクセス技術である、無線ネットワークノード。
【請求項２７】
請求項１５〜２６のいずれか１項に記載の無線ネットワークノードであって、前記第１無線アクセス技術の前記リファレンス信号は、復調リファレンス信号（ＤＭＲＳ）である、無線ネットワークノード。
【請求項２８】
請求項１５〜２７のいずれか１項に記載の無線ネットワークノードであって、前記第２無線アクセス技術の前記リファレンス信号は、共通又はセルリファレンス信号（ＣＲＳ）である、無線ネットワークノード。
【請求項２９】
媒体内に具現化されたコンピュータ読取可能な命令群を有する非一時的なコンピュータ読取可能な記憶媒体を含むコンピュータプログラムプロダクトであって、前記コンピュータ読取可能な命令群が無線ネットワークノードの処理回路により実行された場合に、前記コンピュータ読取可能な命令群は、請求項１〜１４のいずれか１項に記載の方法に従って前記無線ネットワークノードが動作することを可能にする、コンピュータプログラムプロダクト。
【請求項３０】
第１無線アクセス技術に従って動作するワイヤレスデバイスにおける方法であって、前記方法は、
前記第１無線アクセス技術及び第２無線アクセス技術に従って動作する無線ネットワークノードからダウンリンク送信信号を受信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する、受信すること、を含む、方法。
【請求項３１】
請求項３０に記載の方法であって、前記第１無線アクセス技術及び前記第２無線アクセス技術が同一のキャリア上で共存していることを示すインジケーションを前記無線ネットワークノードから受信すること、をさらに含む、方法。
【請求項３２】
請求項３１に記載の方法であって、前記インジケーションは、ブロードキャストシグナリングにおいて又は専用シグナリングにおいて受信される、方法。
【請求項３３】
請求項３１に記載の方法であって、前記インジケーションは、システム情報ブロック（ＳＩＢ）メッセージにおいて又は無線リソース制御（ＲＲＣ）メッセージにおいて受信される、方法。
【請求項３４】
請求項３３に記載の方法であって、前記インジケーションは、前記ＲＲＣメッセージの情報要素におけるパラメータである、方法。
【請求項３５】
請求項３４に記載の方法であって、前記パラメータは、lte-CRS-ToMatchAroundというパラメータである、方法。
【請求項３６】
請求項３０〜３５のいずれか１項に記載の方法であって、前記第２シンボル位置は、前記第１シンボル位置の前である、方法。
【請求項３７】
請求項３６に記載の方法であって、前記第２シンボル位置は、前記第１シンボル位置の少なくとも１シンボル前である、方法。
【請求項３８】
請求項３０〜３５のいずれか１項に記載の方法であって、前記第２シンボル位置は、前記第１シンボル位置の後である、方法。
【請求項３９】
請求項３８に記載の方法であって、前記第２シンボル位置は、前記第１シンボル位置の少なくとも１シンボル後である、方法。
【請求項４０】
請求項３０〜３９のいずれか１項に記載の方法であって、前記第１無線アクセス技術は、新無線（ＮＲ）無線アクセス技術である、方法。
【請求項４１】
請求項３０〜４０のいずれか１項に記載の方法であって、前記第２無線アクセス技術は、ロングタームエボリューション（ＬＴＥ）無線アクセス技術である、方法。
【請求項４２】
請求項３０〜４１のいずれか１項に記載の方法であって、前記第１無線アクセス技術の前記リファレンス信号は、復調リファレンス信号（ＤＭＲＳ）である、方法。
【請求項４３】
請求項３０〜４２のいずれか１項に記載の方法であって、前記第２無線アクセス技術の前記リファレンス信号は、共通又はセルリファレンス信号（ＣＲＳ）である、方法。
【請求項４４】
第１無線アクセス技術に従って動作するように構成されるワイヤレスデバイスであって、前記ワイヤレスデバイスは、
前記第１無線アクセス技術及び第２無線アクセス技術に従って動作する無線ネットワークノードからダウンリンク送信信号を受信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する、受信すること、
を行うように適合される、ワイヤレスデバイス。
【請求項４５】
請求項４４に記載のワイヤレスデバイスであって、前記第１無線アクセス技術及び前記第２無線アクセス技術が同一のキャリア上で共存していることを示すインジケーションを前記無線ネットワークノードから受信する、ようにさらに適合される、ワイヤレスデバイス。
【請求項４６】
請求項４５に記載のワイヤレスデバイスであって、前記インジケーションは、ブロードキャストシグナリングにおいて又は専用シグナリングにおいて受信される、ワイヤレスデバイス。
【請求項４７】
請求項４５に記載のワイヤレスデバイスであって、前記インジケーションは、システム情報ブロック（ＳＩＢ）メッセージにおいて又は無線リソース制御（ＲＲＣ）メッセージにおいて受信される、ワイヤレスデバイス。
【請求項４８】
請求項４７に記載のワイヤレスデバイスであって、前記インジケーションは、前記ＲＲＣメッセージの情報要素におけるパラメータである、ワイヤレスデバイス。
【請求項４９】
請求項４８に記載のワイヤレスデバイスであって、前記パラメータは、lte-CRS-ToMatchAroundというパラメータである、ワイヤレスデバイス。
【請求項５０】
請求項４４〜４９のいずれか１項に記載のワイヤレスデバイスであって、前記第２シンボル位置は、前記第１シンボル位置の前である、ワイヤレスデバイス。
【請求項５１】
請求項５０に記載のワイヤレスデバイスであって、前記第２シンボル位置は、前記第１シンボル位置の少なくとも１シンボル前である、ワイヤレスデバイス。
【請求項５２】
請求項４４〜４９のいずれか１項に記載のワイヤレスデバイスであって、前記第２シンボル位置は、前記第１シンボル位置の後である、ワイヤレスデバイス。
【請求項５３】
請求項５２に記載のワイヤレスデバイスであって、前記第２シンボル位置は、前記第１シンボル位置の少なくとも１シンボル後である、ワイヤレスデバイス。
【請求項５４】
請求項４４〜５３のいずれか１項に記載のワイヤレスデバイスであって、前記第１無線アクセス技術は、新無線（ＮＲ）無線アクセス技術である、ワイヤレスデバイス。
【請求項５５】
請求項４４〜５４のいずれか１項に記載のワイヤレスデバイスであって、前記第２無線アクセス技術は、ロングタームエボリューション（ＬＴＥ）無線アクセス技術である、ワイヤレスデバイス。
【請求項５６】
請求項４４〜５５のいずれか１項に記載のワイヤレスデバイスであって、前記第１無線アクセス技術の前記リファレンス信号は、復調リファレンス信号（ＤＭＲＳ）である、ワイヤレスデバイス。
【請求項５７】
請求項４４〜５６のいずれか１項に記載のワイヤレスデバイスであって、前記第２無線アクセス技術の前記リファレンス信号は、共通又はセルリファレンス信号（ＣＲＳ）である、ワイヤレスデバイス。
【請求項５８】
媒体内に具現化されたコンピュータ読取可能な命令群を有する非一時的なコンピュータ読取可能な記憶媒体を含むコンピュータプログラムプロダクトであって、前記コンピュータ読取可能な命令群がワイヤレスデバイスの処理回路により実行された場合に、前記コンピュータ読取可能な命令群は、請求項３０〜４３のいずれか１項に記載の方法に従って前記ワイヤレスデバイスが動作することを可能にする、コンピュータプログラムプロダクト。
【発明の詳細な説明】
【技術分野】
【０００１】
［関連出願］
本出願は、"ワイヤレス通信ネットワークにおけるリファレンス信号の共存"というタイトルで２０１８年９月２８日に米国特許商標庁へ出願された米国仮特許出願第62/738,434号の優先権の利益を主張し、その内容は参照によりここに取り入れられる。
【０００２】
［技術分野］
本説明は、一般にワイヤレス通信及びワイヤレス通信ネットワークに関連し、より具体的にはワイヤレス通信ネットワークにおけるリファレンス信号の共存を管理することに関連する。
【背景技術】
【０００３】
ＬＴＥ及びＮＲのようなワイヤレス通信システムにおいて、リファレンス信号（ＲＳ）は、典型的には、無線チャネルの知識を助けるために送信され、また送受信機の局部発振器により誘発される障害を追跡するために送信されることもある。リファレンス信号の設計はそのユースケースに依存することになり、いくつもの種類のリファレンス信号がワイヤレス通信システムにおいて必要とされる。リファレンス信号の主な目的は、その名称に反映されていることが多く、但し常にそうとは限らない。
【０００４】
例えば、物理レイヤチャネルのコヒーレントな復調のために設計され使用されるリファレンス信号を復調リファレンス信号（ＤＭＲＳ又はＤＭ−ＲＳ）といい、ダウンリンクにおけるチャネル状態情報を取得するために設計され使用されるリファレンス信号をチャネル状態情報リファレンス信号（ＣＳＩ−ＲＳ）といい、送信機と受信機との間の時間及び周波数の差異の追跡のために設計されるリファレンス信号を追跡リファレンス信号（ＴＲＳ）という。
【０００５】
ＬＴＥでは、共通リファレンス信号（ＣＲＳ）が仕様化されており、これはモビリティ及び新たなセルの検出を含む複数の目的を有する。ＣＲＳは、したがって、無効化されることがなく、サービスされるユーザがいない場合でさえも、ＬＴＥセルにおいて常に送信されなければならない。
【０００６】
ＮＲについて見据えられているユースケースが広範であること及び他の要因にも起因して、３ＧＰＰの合意によれば、上で言及したリファレンス信号の各々は、高度に構成可能とされる。それらは無線フレームの１スロット内の多くの異なるＯＦＤＭシンボルを占めるかもしれず、各ＯＦＤＭシンボル内のサブキャリアの様々なセットを占めることもあり得る。
【０００７】
［ＮＲ  ＤＭＲＳ］
ＮＲ  ＤＭＲＳを、１スロット内で１、２、３又は４個のＯＦＤＭシンボルと共に構成することができる（１スロットは１４個のＯＦＤＭシンボルを有する）。但し、ＮＲ  ＰＤＳＣＨは、１４シンボルよりも短い時間長でスケジューリングされ得る。そうしたケースでは、ＮＲ  ＤＭＲＳは、互いに近付けられ、ＮＲ  ＰＤＳＣＨの時間長が構成された数のＤＭＲＳシンボルを収容するには短過ぎる場合には最終的にはドロップされる。
【０００８】
ＮＲ  ＤＭＲＳ位置の概略を図１に見ることができる。シングルシンボル及びダブルシンボルの双方のＤＭＲＳがサポートされており、ここでダブルとはＤＭＲＳが近接シンボルを用いてＤＭＲＳシンボルがペアで生じることを意味する。図１に見ることができるように、一例として、ＮＲ  ＰＤＳＣＨの時間長が１１シンボルであり２個の追加的なＤＭＲＳシンボルが構成される場合、それらはシンボルインデックス番号が０から１３までであるとして、シンボルインデックス６及び９に配置されることになる。ＤＭＲＳを含む第１のシンボルの位置は、インデックス２又は３を有するシンボルのいずれかにあり、マスタ情報ブロック（ＭＩＢ）により提供されるセル固有のシステム情報により与えられる。
【０００９】
［ＬＴＥ  ＣＲＳ］
ＬＴＥでは、ダウンリンクサブフレームにおけるＣＲＳ位置は、密であり、（ＬＴＥ  ＣＲＳポート０及び１と表記される）２個のＣＲＳポートが構成される場合、スロットインデックス０、４、７及び１１を有するリソースエレメントシンボルを占める。４個のＣＲＳポートが構成される場合、ＣＲＳは、スロットインデックス０、１、４、７、８及び１１を有するシンボルを占める。しかしながら、４個のポートが構成されるケースでは、３番目及び４番目のポート（ＣＲＳポート２及び３）は、ＰＤＳＣＨを受信する際にのみ使用され、モビリティ測定のためには使用されず、なぜならそれら測定はＬＴＥポート０又は１についてのみ定義されているからである。
【００１０】
［ＮＲ  ＬＴＥ共存］
同一の周波数帯域においてＮＲキャリア及びＬＴＥキャリアを動作させることが可能である。ＬＴＥキャリアへ接続されるワイヤレスデバイスは、進行中のＬＴＥ送信が無いときに潜在的なＮＲ送信が存在することを認識しない。ＮＲキャリアへ接続されるワイヤレスデバイスは、一方で、ＬＴＥキャリアとの潜在的な重複を認識するように構成されることができる。ＬＴＥ  ＣＲＳは無効化不能であることから、ＬＴＥトラフィックが無い場合でもスロットは空にはならない。そのため、ＬＴＥ及びＮＲが同一のサブキャリア間隔、即ち１５ｋＨｚを使用する場合、ＮＲ無線ネットワークノード（例えば、ｇＮＢ、ＮＧ−ＲＡＮノードなど）は、少なくともＣＲＳ位置についてlte-CRS-ToMatchAround、ＣＲＳポート数（１、２又は４）についてnrofCRS-PortsというＲＲＣパラメータを用いて、ＮＲワイヤレスデバイスへＣＲＳの位置のシグナリングを提供する。これが同一のキャリア上でのＬＴＥ及びＮＲの共存を可能にし、なぜならＮＲ  ＰＤＳＣＨをＬＴＥ  ＣＲＳの周囲にマッピングすることができるからである。
【発明の概要】
【００１１】
同一の周波数帯域においてＮＲキャリア及びＬＴＥキャリアを動作させることが可能であるものの、追加的なＮＲ  ＤＭＲＳシンボルが構成される場合には、いくつかのＮＲ  ＰＤＳＣＨ時間長について、それら追加的なＮＲ  ＤＭＲＳシンボルのうちの少なくともいくつかがＬＴＥ  ＣＲＳシンボルの少なくともいくつかと同じシンボル位置に置かれることになるために問題が発生する。これは、無線ネットワークノードがどちらのリファレンス信号を間引く決定をするかに依存して、ＬＴＥ又はＮＲのためのチャネル推定を誤らせることになる。なぜなら、無線ネットワークノードは、衝突の生じたリソースエレメントにおいてＬＴＥ  ＣＲＳか又はＮＲ  ＤＭＲＳかのいずれかを送信することを選択しなければならないからである。
【００１２】
ある観点によれば、いくつかの実施形態は、第１無線アクセス技術及び無線アクセス技術に従って動作する無線ネットワークノードにより実行される方法を含む。その方法は、概して、前記第１無線アクセス技術に従って動作するワイヤレスデバイスへダウンリンク送信信号を送信すること、を含み、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する。
【００１３】
いくつかの実施形態において、前記方法は、前記第１無線アクセス技術及び前記第２無線アクセス技術が同一のキャリア上で共存していることを示すインジケーションを前記ワイヤレスデバイスへ送信すること、を含み得るか又はさらに含む。いくつかの実施形態において、前記インジケーションは、ブロードキャストシグナリングにおいて又は専用シグナリングにおいて送信されてもよい。いくつかの実施形態において、前記インジケーションは、システム情報ブロック（ＳＩＢ）メッセージにおいて又は無線リソース制御（ＲＲＣ）メッセージにおいて送信されてもよい。いくつかの実施形態において、前記インジケーションは、前記ＲＲＣメッセージの情報要素におけるパラメータであってもよい。いくつかの実施形態において、前記パラメータは、lte-CRS-ToMatchAroundというパラメータであってもよい。
【００１４】
いくつかの実施形態において、前記第２シンボル位置は、前記第１シンボル位置の前であってもよい。そうした実施形態において、前記第２シンボル位置は、前記第１シンボル位置の少なくとも１シンボル前であってもよい。
【００１５】
いくつかの実施形態において、前記第２シンボル位置は、前記第１シンボル位置の後であってもよい。そうした実施形態において、前記第２シンボル位置は、前記第１シンボル位置の少なくとも１シンボル後であってもよい。
【００１６】
いくつかの実施形態において、前記第１無線アクセス技術は、新無線（ＮＲ）無線アクセス技術であってもよい。いくつかの実施形態において、前記第２無線アクセス技術は、ロングタームエボリューション（ＬＴＥ）無線アクセス技術であってもよい。
【００１７】
いくつかの実施形態において、前記第１無線アクセス技術の前記リファレンス信号は、復調リファレンス信号（ＤＭＲＳ）であってもよい。いくつかの実施形態において、前記第２無線アクセス技術の前記リファレンス信号は、共通又はセルリファレンス信号（ＣＲＳ）であってもよい。
【００１８】
他の観点によれば、いくつかの実施形態は、説明される無線ネットワークノードの機能性（例えば、アクション、動作、ステップなど）のうちの１つ以上を行うように適合され、構成され、可能化され、さもなければ動作可能な無線ネットワークノードを含む。
【００１９】
いくつかの実施形態において、無線ネットワークノードは、１つ以上の送受信機、１つ以上の通信インタフェース、並びに、前記１つ以上の送受信機及び前記１つ以上の通信インタフェースと動作可能に接続される処理回路を備え得る。前記１つ以上の送受信機は、前記無線ネットワークノードが無線インタフェースを介して１つ以上のワイヤレスデバイスと通信することを可能にするように構成される。前記１つ以上の通信インタフェースは、前記無線ネットワークノードが（例えば、無線アクセスネットワークの通信インタフェースを介して）１つ以上の他の無線ネットワークノードと、（例えば、コアネットワークの通信インタフェースを介して）１つ以上のコアネットワークノードと、及び／又は１つ以上の他のネットワークノードと通信することを可能にするように構成される。前記処理回路は、説明される無線ネットワークノードの機能性のうちの１つ以上を前記無線ネットワークノードが行うことを可能にするように構成される。いくつかの実施形態において、前記処理回路は、少なくとも１つのプロセッサ及び少なくとも１つのメモリを含んでよく、前記メモリは命令群を記憶し、前記命令群は、前記プロセッサにより実行されると、前記少なくとも１つのプロセッサが前記無線ネットワークノードを説明される無線ネットワークノードの機能性のうちの１つ以上を行うことを可能にするように構成する。
【００２０】
いくつかの実施形態において、前記無線ネットワークノードは、説明される無線ネットワークノードの機能性のうちの１つ以上を行うように構成される１つ以上の機能ユニット（モジュールともいう）を含んでもよい。いくつかの実施形態において、それら機能ユニットは、前記無線ネットワークノードの前記１つ以上の送受信機及び前記処理回路により具現化されてもよい。
【００２１】
他の観点によれば、いくつかの実施形態は、コンピュータプログラムプロダクトを含む。前記コンピュータプログラムプロダクトは、前記コンピュータプログラムプロダクトの非一時的なコンピュータ読取可能な記憶媒体に記憶されたコンピュータ読取可能な命令群を含む。前記命令群は、前記無線ネットワークノードの処理回路（例えば、少なくとも１つのプロセッサ）により実行された場合、前記無線ネットワークノードが説明される無線ネットワークノードの機能性のうちの１つ以上を行うことを可能にする。
【００２２】
他の観点によれば、いくつかの実施形態は、第１無線アクセス技術に従って動作するワイヤレスデバイスにより実行される方法を含む。その方法は、概して、前記第１無線アクセス技術に従って及び第２無線アクセス技術に従って動作する無線ネットワークノードからダウンリンク送信信号を受信すること、を含み、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置する。
【００２３】
いくつかの実施形態において、前記方法は、前記第１無線アクセス技術及び前記第２無線アクセス技術が同一のキャリア上で共存していることを示すインジケーションを前記無線ネットワークノードから受信すること、を含み得るか又はさらに含む。いくつかの実施形態において、前記インジケーションは、ブロードキャストシグナリングにおいて又は専用シグナリングにおいて受信されてもよい。いくつかの実施形態において、前記インジケーションは、システム情報ブロック（ＳＩＢ）メッセージにおいて又は無線リソース制御（ＲＲＣ）メッセージにおいて受信されてもよい。いくつかの実施形態において、前記インジケーションは、前記ＲＲＣメッセージの情報要素におけるパラメータであってもよい。いくつかの実施形態において、前記パラメータは、lte-CRS-ToMatchAroundというパラメータであってもよい。
【００２４】
いくつかの実施形態において、前記第２シンボル位置は、前記第１シンボル位置の前であってもよい。そうした実施形態において、前記第２シンボル位置は、前記第１シンボル位置の少なくとも１シンボル前であってもよい。
【００２５】
いくつかの実施形態において、前記第２シンボル位置は、前記第１シンボル位置の後であってもよい。そうした実施形態において、前記第２シンボル位置は、前記第１シンボル位置の少なくとも１シンボル後であってもよい。
【００２６】
いくつかの実施形態において、前記第１無線アクセス技術は、新無線（ＮＲ）無線アクセス技術であってもよい。いくつかの実施形態において、前記第２無線アクセス技術は、ロングタームエボリューション（ＬＴＥ）無線アクセス技術であってもよい。
【００２７】
いくつかの実施形態において、前記第１無線アクセス技術の前記リファレンス信号は、復調リファレンス信号（ＤＭＲＳ）であってもよい。いくつかの実施形態において、前記第２無線アクセス技術の前記リファレンス信号は、共通又はセルリファレンス信号（ＣＲＳ）であってもよい。
【００２８】
他の観点によれば、いくつかの実施形態は、説明されるワイヤレスデバイスの機能性（例えば、アクション、動作、ステップなど）のうちの１つ以上を行うように適合され、構成され、可能化され、さもなければ動作可能なワイヤレスデバイスを含む。
【００２９】
いくつかの実施形態において、ワイヤレスデバイスは、１つ以上の送受信機、及び、前記１つ以上の送受信機と動作可能に接続される処理回路を備え得る。前記１つ以上の送受信機は、前記ワイヤレスデバイスが無線インタフェースを介して１つ以上の無線ネットワークノードと通信することを可能にするように構成される。前記処理回路は、説明されるワイヤレスデバイスの機能性のうちの１つ以上を前記ワイヤレスデバイスが行うことを可能にするように構成される。いくつかの実施形態において、前記処理回路は、少なくとも１つのプロセッサ及び少なくとも１つのメモリを含んでよく、前記メモリは命令群を記憶し、前記命令群は、前記プロセッサにより実行されると、前記ワイヤレスデバイスが説明されるワイヤレスデバイスの機能性のうちの１つ以上を行うことを可能にする。
【００３０】
いくつかの実施形態において、前記ワイヤレスデバイスは、説明されるワイヤレスデバイスの機能性のうちの１つ以上を行うように構成される１つ以上の機能ユニット（モジュールともいう）を含んでもよい。いくつかの実施形態において、それら機能ユニットは、前記ワイヤレスデバイスの前記１つ以上の送受信機及び前記処理回路により具現化されてもよい。
【００３１】
他の観点によれば、いくつかの実施形態は、コンピュータプログラムプロダクトを含む。前記コンピュータプログラムプロダクトは、前記コンピュータプログラムプロダクトの非一時的なコンピュータ読取可能な記憶媒体に記憶されたコンピュータ読取可能な命令群を含む。前記命令群は、前記ワイヤレスデバイスの処理回路（例えば、少なくとも１つのプロセッサ）により実行された場合、前記ワイヤレスデバイスが説明されるワイヤレスデバイスの機能性のうちの１つ以上を行うことを可能にする。
【００３２】
そのため、いくつかの広い実施形態において、ＬＴＥ  ＣＲＳと衝突すると判定されたＮＲ  ＤＭＲＳがＬＴＥ  ＣＲＳが現れるときに衝突するシンボル位置から移動される。限定ではないものの、ＬＴＥ  ＣＲＳの出現が、lte-CRS-ToMatchAroundというパラメータなどのパラメータを用いてワイヤレスデバイスへシグナリングされてもよい。
【００３３】
よって、いくつかの実施形態は、スロット全体（１４シンボル）でＮＲ  ＰＤＳＣＨを送信することを可能にし、ＬＴＥと共存しながら動作する場合のＮＲの平均スループット及びピークスルーアウトの増加をもたらすであろう。
【００３４】
この概要は、全ての予期される実施形態の克明な概略ではなく、どの実施形態の鍵、重要な観点又は特徴を識別することも、どの実施形態を線引きすることも意図しない。図面と共に固有の実施形態の以下の説明を考察すれば、他の観点及び特徴が当業者にとって明らかとなるであろう。
【図面の簡単な説明】
【００３５】
以下の添付図面を参照しながら、例示的な実施形態がより詳細に説明されるであろう：
【図１】ＮＲにおける様々なシングルシンボル及びダブルシンボルのＤＭＲＳ構成の概略図である。
【図２】ＬＴＥにおける例示的なＣＲＳ構成の概略図である。
【図３】いくつかの実施形態に係る一例としてのワイヤレス通信ネットワークの概略図である。
【図４】いくつかの実施形態に係る例示的なシグナリングを示す、一例としてのワイヤレス通信ネットワークの一部の概略図である。
【図５】ＬＴＥ  ＣＲＳが出現するときのＮＲ  ＤＭＲＳの間引きの概略図である。
【図６】ＮＲ  ＤＭＲＳ及びＬＴＥ  ＣＲＳが衝突する場合のあり得る解決策の概略図である。
【図７】いくつかの実施形態に従って、ＮＲ  ＤＭＲＳ及びＬＴＥ  ＣＲＳが衝突する場合のＬＴＥ  ＣＲＳからのＮＲ  ＤＭＲＳの移動の概略図である。
【図８】いくつかの実施形態に係るシグナリング図である。
【図９】いくつかの実施形態に係る無線ネットワークノードの動作のフローチャートである。
【図１０】いくつかの実施形態に係るワイヤレスデバイスの動作のフローチャートである。
【図１１】いくつかの実施形態に係る無線ネットワークノードのブロック図である。
【図１２】いくつかの実施形態に係る無線ネットワークノードの他のブロック図である。
【図１３】いくつかの実施形態に係るワイヤレスデバイスのブロック図でる。
【図１４】いくつかの実施形態に係るワイヤレスデバイスの他のブロック図である。
【発明を実施するための形態】
【００３６】
以下に説示する実施形態は、当業者がそれら実施形態を実践することを可能にする情報を表現している。添付図面を所与として以下の説明を読めば、当業者は、本説明の概念を理解し、及びここで扱われていないそれら概念の応用を認識するであろう。それら概念及び応用は本説明のスコープの範囲内に入ることが理解されるべきである。
【００３７】
以下の説明では、多くの具体的な詳細が説示される。しかしながら、実施形態がそれら具体的な詳細が無くとも実践され得ることが理解されるであろう。他の例において、よく知られた回路、構造及び技法は、その説明の理解を曖昧にしないために図示されていない。当業者は、包含される説明によって、過度な実験をせずとも適切な機能性を実装することができる。
【００３８】
本明細書における、"１つの実施形態"、"一実施形態"、"例示的な実施形態"などへの言及は、説明される実施形態が特定の特徴、構造、又は特性を含み得るものの、あらゆる実施形態が当該特定の特徴、構造、又は特性を含むわけでは必ずしもないかもしれないことを示す。そうしたフレーズは、必ずしも同じ実施形態を指しているわけではない。さらに、一実施形態との関係において特定の特徴、構造、又は特性が説明されている場合、明示的に記載されているか否かに関わらず、他の実施形態との関係においてそうした特徴、構造、又は特性を実装することは、当業者の知識の範囲内であることが思量される。
【００３９】
ここで使用されるところでは、単数形である"a"、"an"、及び"the"は、文脈で別段示されていない限り、複数形を含むものとする。さらに理解されるであろうこととして、"含む（comprises）"、含む（comprising）"、"含む（includes）"及び／又は"含む（including）"という用語は、使用される場合、記述された特徴、整数、ステップ、動作、エレメント、及び／又はコンポーネントの存在を特定するものの、１つ以上の他の特徴、整数、ステップ、動作、エレメント、コンポーネント、及び／又はそれらの集合の存在又は追加を排除しない。
【００４０】
ここで図３を参照すると、いくつかの実施形態が展開され得るワイヤレス通信ネットワーク１００の一例が描かれている。ワイヤレス通信ネットワーク１００は、概して、ワイヤレスデバイス１１０が無線アクセスネットワーク２００（ＲＡＮともいう）及びコアネットワーク３００（ＣＮともいう）を介して１つ以上の外部ネットワーク４００と通信することを可能にする。
【００４１】
無線アクセスネットワーク２００は、概して、複数の無線ネットワークノード２１０を含み（簡明さのために２つのみ図示されている）、それらは１つ以上のセル２０５を介して複数のワイヤレスデバイス１１０（簡明さのために２つのみ図示されている）へ無線インタフェース上で無線アクセスを提供することに責任を有する。各セル２０５は、概して、無線ネットワークノード２１０に関連付けられる地理的エリアであって、無線ネットワークノード２１０によりサービスされる当該地理的エリアを定義し、そこで無線ネットワークノード２１０により無線カバレッジが提供される。とりわけ、１つの無線ネットワークノード２１０は、１つより多くのセル２０５にサービスしてもよく、それらセル２０５の各々が恐らくは異なる地理的エリアをカバーする。
【００４２】
無線アクセスネットワーク２００を１つ以上の外部ネットワーク４００へ接続するコアネットワーク３００は、概して、多様なコアネットワークノード３１０を含む。コアネットワークノード３１０と総称しているものの、これらコアネットワークノード３１０は相異なる機能を有する。例えば、いくつかのコアネットワークノード３１０は、ワイヤレス通信ネットワーク１００の範囲内でワイヤレスデバイス１１０の接続性を管理することに責任を有し、一方で、他のコアネットワークノード３１０は、ワイヤレスデバイスと１つ以上の外部ネットワーク４００との間のデータの送信を扱うことに責任を有し得る。
【００４３】
次に図４を参照すると、ワイヤレスデバイス１１０と無線ネットワークノード２１０との間の無線インタフェースの追加的な詳細が示されている。図示したように、無線インタフェースは、概して、ワイヤレスデバイス１１０及び無線ネットワークノード２１０が、無線ネットワークノード２１０からワイヤレスデバイス１１０へのダウンリンク方向及びワイヤレスデバイス１１０から無線ネットワークノード２１０へのアップリンク方向の双方において信号及びメッセージを交換することを可能にする。
【００４４】
ワイヤレスデバイス１１０と無線ネットワークノード２１０との間の無線インタフェースは、典型的には、ワイヤレスデバイス１１０が１つ以上の外部ネットワークにより提供される多様なアプリケーション又はサービスへアクセスすることを可能にし、それらはサーバ４１０（ホストコンピュータともいう）により提供され得る。少なくとも部分的にワイヤレスデバイス１１０と無線ネットワークノード２１０との間の無線インタフェースにより可能とされるワイヤレスデバイス１１０とサーバ４１０との間の接続性は、オーバザトップ（ＯＴＴ）接続として説明されてもよい。そうしたケースにおいて、ワイヤレスデバイス１１０及びサーバ４１０は、無線アクセスネットワーク２００、コアネットワーク３００及びおそらくは１つ以上の中間的なネットワーク（例えば、トランスポートネットワーク）（図示せず）を用いて、ＯＴＴ接続を介してデータ及び／又はシグナリングを交換するように構成される。ＯＴＴ接続は、当該ＯＴＴ接続が通過する関係するネットワークノード（例えば、無線ネットワークノード、１つ以上のコアネットワークノード、１つ以上のトランスポートネットワークノードなど）がそれらにより可能となりサポートされる実際のＯＴＴ接続を関知しないであろうという意味において、透過的であってよい。例えば、無線ネットワークノード２１０は、サーバ４１０から発してワイヤレスデバイス１１０へ転送され又は送信されるべきデータを伴うインカミングのダウンリンク通信の過去の取扱い（例えば、ルーティング）について通知されなくてよく、あるいはその通知を必要としない。同様に、無線ネットワークノード２１０は、ワイヤレスデバイス１１０から発してサーバ４１０へ向かう進行中のアップリンク通信のその後の取扱いを関知しなくてよく、あるいは関知することを必要としない。
【００４５】
広くいうと、ＬＴＥ及びＮＲが同一のキャリア上で共存する場合（即ち、ＬＴＥ及びＮＲが同一の周波数帯域で動作している場合）において、ＮＲのワイヤレスデバイス（ユーザ機器あるいはＵＥともいう）は、１５ｋＨｚのサブキャリア間隔で動作しているときに、ＲＲＣパラメータlte-CRS-ToMatchAroundを用いてＬＴＥ  ＣＲＳの位置に関する通知を受けることができる。
【００４６】
しかしながら、図５に見ることができるように、そのワイヤレスデバイスについて追加的なＮＲ  ＤＭＲＳが構成される場合、その追加的なＮＲ  ＤＭＲＳがＬＴＥ  ＣＲＳと衝突することで性能の劣化がもたらされかねない。
【００４７】
１つのあり得る解決策は、例えば１２又は１１ＯＦＤＭシンボルという長さの、より短いＮＲ  ＰＤＳＣＨをスケジューリングすることであろう。そうしたケースでは、追加的なＮＲ  ＤＭＲＳは、ＬＴＥ  ＣＲＳとは衝突しないはずのシンボル位置に来るはずである。しかしながら、図６に示したように、そうした解決策は、１４シンボルのうちの２つが使われなくなることから、名目値と比較してＮＲのスループットにおいて約１５％の損失を示唆しており、これはほとんどの場合に受入可能な解決策ではないかもしれない。
【００４８】
ＤＣＩフォーマット１＿０であってＲＲＣ構成の前に、２つの追加的なＤＭＲＳシンボルが使用され、これらもＬＴＥ  ＣＲＳと衝突することになる。しかしながら、滅多に使用されないこれらケースでは、１２シンボルのＮＲ  ＰＤＳＣＨをスケジューリングすることは受入可能かもしれない。一方で、高キャパシティデータについては、既に存在するＬＴＥ  ＣＲＳのオーバヘッドに加えて１５％のオーバヘッドを取ることは、こうした共存のシナリオでのＮＲ性能に対し有害であろう。
【００４９】
よって、いくつかの実施形態において、ＬＴＥ及びＮＲが同一のキャリア上で共存する場合、（追加的な）ＮＲ  ＤＭＲＳがＬＴＥ  ＣＲＳと衝突するという条件、及びＮＲワイヤレスデバイスが同一のキャリア上でのＬＴＥ及びＮＲの共存に気付かされるという条件（例えば、ＮＲワイヤレスデバイスはレートマッチングのためにＬＴＥ  ＣＲＳと共に構成されるという条件）に少なくとも部分的に基づいて、（追加的な）ＮＲ  ＤＭＲＳの位置が変更され又はさもなければシフトされる。
【００５０】
以下の例示的な実施形態において、１つの追加的なＮＲ  ＤＭＲＳを伴うシングルシンボルＮＲ  ＤＭＲＳを対象として説明がなされる。しかしながら、２つ又は３つの追加的なＮＲ  ＤＭＲＳに加えて、１つの追加的なＮＲ  ＤＭＲＳを伴うダブルシンボルＮＲ  ＤＭＲＳをもカバーするように、その説明を容易に拡張することができる。これらケースにおいて、衝突を起こすＮＲ  ＤＭＲＳシンボルは、ＬＴＥ  ＣＲＳと衝突しない近くのシンボル位置へ移動される。
【００５１】
さらに、様々な位置が衝突を起こすＮＲ  ＤＭＲＳの移動先となり得る。例えば、いくつかの実施形態では、衝突を起こすＮＲ  ＤＭＲＳを、衝突を起こすシンボル位置から後方へ（あるいは手前へ）、例えばシンボルインデックス１１からシンボルインデックス１０（即ち、シンボルインデックスｌｌ＝１０）へ移動することができる。いくつかの他の実施形態では、衝突を起こすＮＲ  ＤＭＲＳを、衝突を起こすシンボル位置から前方へ（あるいは先へ）、例えばシンボルインデックス１１からシンボルインデックス１２（即ち、シンボルインデックスｌｌ＝１２）へ移動することができる。衝突を起こすＤＭＲＳを前方のｌｌ＝１２へ移動するあり得る利点は、無線チャネルの外挿が低減されることである。
【００５２】
いくつかの実施形態において、ＮＲ  ＤＭＲＳシンボルの少なくとも１つがＬＴＥ  ＣＲＳと衝突する場合、全てのＮＲ  ＤＭＲＳシンボルが、どのＮＲ  ＤＭＲＳシンボルもＬＴＥ  ＣＲＳと衝突しない位置へ、同じシンボル数（例えば、ｎ＝２）の分だけ前方か後方かのいずれかへシフトされる。
【００５３】
１つの実施形態は、次のように説明される：
ＰＤＳＣＨマッピングタイプＡについて、lte-CRS-ToMatchAroundが構成され、dmrs-AdditionalPosition＝"pos1"であり且つシングルシンボルＤＭＲＳである場合、１３及び１４シンボルのＰＤＳＣＨ時間長についてのＤＭ−ＲＳ位置は、既定のｌ０，１１の代わりに、ｌ０，１２である。
【００５４】
よって、ＮＲ  ＤＭＲＳは、図７に示したように、１シンボル先（即ち、衝突するシンボル位置の後）へ移動される。
【００５５】
いくつかの実施形態において、説明される実施形態のうちの１つ以上を可能にするために、３ＧＰＰ  ＴＳ３８．２１１ｖ１５．２．０の以下のセクションが次のように修正されてもよい。
【００５６】
−−−−＜＜＜＜＜＜３ＧＰＰ  ＴＳ３８．２１１＞＞＞＞＞＞−−−−
【００５７】
７．４．１．１．２  物理リソースへのマッピング
【００５８】
［変更の無いセクションを省略］
【００５９】
【数１】
2022502895.tif 000003
【００６０】
［変更の無いセクションを省略］
【００６１】
【表１】
2022502895.tif 000004
【００６２】
［変更の無いセクションを省略］
【００６３】
−−−−＜＜＜＜＜＜３ＧＰＰ  ＴＳ３８．２１１＞＞＞＞＞＞−−−−
【００６４】
図８を参照すると、いくつかの実施形態に係る高レベルシグナリング及び動作図が示されている。第１無線アクセス技術（ＲＡＴ）（例えば、ＮＲ）及び第２ＲＡＴ（例えば、ＬＴＥ）の双方に従って動作するように構成される無線ネットワークノード２１０は、第１ＲＡＴ（例えば、ＮＲ）に従って動作するように構成されるワイヤレスデバイス１１０へ、２つのＲＡＴが同一のキャリア上で共存している（そして通常は無線ネットワークノード２１０が双方のＲＡＴに従って動作している）というインジケーションを送信する（アクションＳ１０２）。
【００６５】
無線ネットワークノード２１０は、２つのＲＡＴの共存のインジケーション（即ち、共存インジケーション）を、様々なやり方でワイヤレスデバイス１１０へ送信し得る。例えば、いくつかの実施形態において、無線ネットワークノード２１０は、共存インジケーションを、ブロードキャストシグナリングを介して（例えば、システム情報ブロック（ＳＩＢ）メッセージを介して）、又は専用シグナリングを介して（例えば、無線リソース制御（ＲＲＣ）メッセージを介して）送信してもよい。いくつかの他の実施形態において、共存インジケーションは、その目的のために再利用される既存のパラメータ（例えば、lte-CRS-ToMatchAroundパラメータなどの、ＲＲＣメッセージの情報エレメント内のパラメータ）であってもよく、又はその目的のために設計される新たなパラメータであってもよい。
【００６６】
共存インジケーションを受信した後、ワイヤレスデバイス１１０は、無線ネットワークノード２１０が双方のＲＡＴに従って（例えば、ＮＲ及びＬＴＥに従って）ダウンリンク送信を行い得ることを認識していることになる。ワイヤレスデバイス１１０にとって第２ＲＡＴに従って送信されるダウンリンク送信信号を監視し及び復号する必要は無いものの、ワイヤレスデバイス１１０は、それでも第１ＲＡＴの送信信号を監視し及び受信する際に第２ＲＡＴの送信信号を考慮しなければならないかもしれない。例えば、ワイヤレスデバイス１１０は、第１ＲＡＴに従ってダウンリンク送信信号を受信する際に、第２ＲＡＴに従って送信されるリファレンス信号（例えば、ＬＴＥ  ＣＲＳ）のうちのいくつかを迂回してレートマッチングを行う必要があり得る。
【００６７】
ある時点で、無線ネットワークノード２１０は、例えば何らかのデータを送信するために、ワイヤレスデバイス１１０へのダウンリンク送信をスケジューリングする必要があり得る（アクションＳ１０４）。一例としてＮＲを用いると、ワイヤレスデバイス１１０へデータを送信するために、無線ネットワークノード２１０は、典型的には、制御情報を搬送するダウンリンク制御チャネル（例えば、ＮＲ  ＰＤＣＣＨ）のためのリソース、及びワイヤレスデバイス１１０宛てのデータを搬送する関連付けられるダウンリンク共有チャネル（例えば、ＮＲ  ＰＤＳＣＨ）のためのリソースを割り当てることになる。送信されるダウンリンク共有チャネルの適切な復調を可能にするために、ダウンリンク共有チャネルの長さ又は時間長及び恐らくは他のパラメータに依存して、ダウンリンク共有チャネル内の１つ以上のシンボル位置に、復調リファレンス信号（ＤＭＲＳ）が含められるであろう。ＮＲにおいて、ＤＭＲＳのシンボル位置は、３ＧＰＰ  ＴＳ３８．２１１ｖ１５．２．０のセクション７．４．１．１．２において仕様化されている。
【００６８】
第１ＲＡＴのリファレンス信号（例えば、ＮＲ  ＰＤＳＣＨ  ＤＭＲＳ）の構成に依存して、上で示したように、第１ＲＡＴのリファレンス信号（の少なくともいくつか）が第２ＲＡＴのリファレンス信号（例えば、ＬＴＥ  ＣＲＳ）と衝突する（即ち、同じシンボル位置に位置する）かもしれない。２つのＲＡＴのリファレンス信号間の衝突を回避するために、無線ネットワークノード２１０は、第１ＲＡＴのリファレンス信号が第２ＲＡＴのリファレンス信号と衝突することになるかをチェックし又はさもなければ判定してもよい。２つのＲＡＴのリファレンス信号間で衝突が発生しないと判定される場合、無線ネットワークノード２１０は、ダウンリンク送信信号（例えば、ＮＲ  ＰＤＣＣＨ及びＮＲ  ＰＤＳＣＨ）を第１ＲＡＴのリファレンス信号と共に第１の（又は名目上の）シンボル位置で送信するであろう（アクションＳ１０８）。そうではなく、２つのＲＡＴのリファレンス信号間で衝突が発生すると判定される場合、無線ネットワークノード２１０は、ダウンリンク送信信号（例えば、ＮＲ  ＰＤＣＣＨ及びＮＲ  ＰＤＳＣＨ）を第１ＲＡＴのリファレンス信号と共に第２の（又は異なる）シンボル位置で送信するであろう（アクションＳ１０８）。
【００６９】
理解されるであろうこととして、例えば図５に示したようにＤＭＲＳがシンボルインデックス２及び１１の双方に位置するなど  ダウンリンク送信が複数のシンボル位置にある第１ＲＡＴのリファレンス信号を含む場合、第２ＲＡＴのリファレンス信号と衝突すると判定された第１ＲＡＴのリファレンス信号のシンボル位置のみを変更することが可能である。図５では、シンボルインデックス１１に位置するＮＲ  ＤＭＲＳのみが衝突すると判定される。そうしたケースで、第２ＲＡＴのリファレンス信号と衝突すると判定された第１ＲＡＴのリファレンス信号のみを、図７に示したように、異なるシンボル位置へ移動し又はシフトさせて衝突を回避することができる。但し、他の実施形態において、第１ＲＡＴの１つのリファレンス信号のみが第２ＲＡＴのリファレンス信号と衝突しそうであっても  第１ＲＡＴの全てのリファレンス信号が第２ＲＡＴのリファレンス信号と衝突しないシンボル位置へ移動されてもよい。
【００７０】
ワイヤレスデバイス１１０は、ダウンリンク送信信号を一度受信すると、第１ＲＡＴの少なくともいくつかのリファレンス信号の位置が異なるシンボル位置にあり得ることを知りつつそれを復号することになる（アクションＳ１１０）。ダウンリンク送信の内容に依存して、ワイヤレスデバイス１１０は、ダウンリンク送信の内容に関連付けられている１つ以上の動作上のタスクを実行し得る（アクションＳ１１２）。
【００７１】
留意すべきこととして、本説明において２つ以上のアクションの間の何らかの関係（例えば、原因、条件、時間など）を明示的に示していない限り、説明されるアクションは図示したものとは異なる順序で行われてよい。例えば、連続して行われるように示した２つのアクションが、実質的に並列的に行われてもよく、又は逆の順序ですら行われてもよい。よって、図示したアクションの順序は、１つの具体的なアクションの順序を示しているに過ぎず、それが唯一あり得る順序であるように示唆するものではない。
【００７２】
図９は、いくつかの実施形態に係る無線ネットワークノード２１０の動作を示すフローチャートである。図示したように、無線ネットワークノード２１０は、（第１ＲＡＴ（例えば、ＮＲ）に従って動作し得る）ワイヤレスデバイス１１０へ、第１ＲＡＴ及び第２ＲＡＴ（例えば、ＬＴＥ）が同一のキャリア上で共存しているというインジケーションを送信する（アクションＳ２０２）。前に触れたように、無線ネットワークノード２１０は、（例えば、ＳＩＢメッセージを介して）ブロードキャストシグナリングで又は（例えば、ＲＲＣメッセージを介して）専用シグナリングで、共存インジケーションをワイヤレスデバイス１１０へ送信してもよい。やはり前に示したように、共存インジケーションは、その目的のために再利用される既存のパラメータ（例えば、lte-CRS-ToMatchAroundというパラメータ）であってもよく、又はその目的のために設計される新たなパラメータであってもよい。
【００７３】
次いで、無線ネットワークノード２１０は、例えば、何らかのデータを送信するために、ワイヤレスデバイス１１０向けのダウンリンク送信をスケジューリングし得る（アクションＳ２０４）。あらためて一例としてＮＲを用いると、ワイヤレスデバイス１１０へデータを送信するために、無線ネットワークノード２１０は、典型的には、制御情報を搬送するダウンリンク制御チャネル（例えば、ＮＲ  ＰＤＣＣＨ）のためのリソース、及びワイヤレスデバイス１１０宛てのデータを搬送する関連付けられるダウンリンク共有チャネル（例えば、ＮＲ  ＰＤＳＣＨ）のためのリソースを割り当てることになる。送信されるダウンリンク共有チャネルの適切な復調を可能にするために、ダウンリンク共有チャネルの長さ又は時間長及び恐らくは他のパラメータに依存して、ダウンリンク共有チャネル内の１つ以上のシンボル位置に、復調リファレンス信号（ＤＭＲＳ）が含められるであろう。ＮＲにおいて、ＤＭＲＳのシンボル位置は、３ＧＰＰ  ＴＳ３８．２１１ｖ１５．２．０のセクション７．４．１．１．２において仕様化されている。
【００７４】
第１ＲＡＴのリファレンス信号（例えば、ＮＲ  ＰＤＳＣＨ  ＤＭＲＳ）の構成に依存して、上で示したように、第１ＲＡＴのリファレンス信号（の少なくともいくつか）が第２ＲＡＴのリファレンス信号（例えば、ＬＴＥ  ＣＲＳ）と衝突する（即ち、同じシンボル位置に位置する）かもしれない。２つのＲＡＴのリファレンス信号間の衝突を回避するために、無線ネットワークノード２１０は、第１ＲＡＴのリファレンス信号が第２ＲＡＴのリファレンス信号と衝突することになるかをチェックし又はさもなければ判定し得る（アクションＳ２０６）。２つのＲＡＴのリファレンス信号間で衝突が発生しないと判定される場合、無線ネットワークノード２１０は、ダウンリンク送信信号（例えば、ＮＲ  ＰＤＣＣＨ及びＮＲ  ＰＤＳＣＨ）を第１ＲＡＴのリファレンス信号と共に第１の（又は名目上の）シンボル位置で送信するであろう（アクションＳ２０８）。そうではなく、２つのＲＡＴのリファレンス信号間で衝突が発生すると判定される場合、無線ネットワークノード２１０は、ダウンリンク送信信号（例えば、ＮＲ  ＰＤＣＣＨ及びＮＲ  ＰＤＳＣＨ）を第１ＲＡＴのリファレンス信号と共に第２の（又は異なる）シンボル位置で送信するであろう（アクションＳ２０８）。
【００７５】
留意すべきこととして、本説明において２つ以上のアクションの間の何らかの関係（例えば、原因、条件、時間など）を明示的に示していない限り、説明されるアクションは図示したものとは異なる順序で行われてよい。例えば、連続して行われるように示した２つのアクションが、実質的に並列的に行われてもよく、又は逆の順序ですら行われてもよい。よって、図示したアクションの順序は、１つの具体的なアクションの順序を示しているに過ぎず、それが唯一あり得る順序であるように示唆するものではない。
【００７６】
図１０は、いくつかの実施形態に係るワイヤレスデバイス１１０の動作を示すフローチャートである。図示したように、（第１ＲＡＴ（例えば、ＮＲ）に従って動作し得る）ワイヤレスデバイス１１０は、無線ネットワークノード２１０から、第１ＲＡＴ及び第２ＲＡＴ（例えば、ＬＴＥ）が同一のキャリア上で共存しているというインジケーションを受信し得る（アクションＳ３０２）。前に触れたように、ワイヤレスデバイス１１０は、（例えば、ＳＩＢメッセージを介して）ブロードキャストシグナリングで又は（例えば、ＲＲＣメッセージを介して）専用シグナリングで、共存インジケーションを受信してもよい。やはり前に触れたように、当該インジケーションは、その目的のために再利用される既存のパラメータ（例えば、lte-CRS-ToMatchAroundというパラメータ）であってもよく、又はその目的のために設計される新たなパラメータであってもよい。
【００７７】
ある時点で、ワイヤレスデバイス１１０は、無線ネットワークノード２１０からダウンリンク送信信号を受信し得る。そのダウンリンク送信信号は、第１ＲＡＴのリファレンス信号を含み、当該リファレンス信号は、第１ＲＡＴの当該リファレンス信号が第２ＲＡＴのリファレンス信号と衝突しないと判定される場合にダウンリンク送信信号内の第１シンボル位置に位置し、第１ＲＡＴの当該リファレンス信号が第２ＲＡＴのリファレンス信号と衝突すると判定される場合にダウンリンク送信信号内の第２シンボル位置に位置する（アクションＳ３０４）。
【００７８】
無線ネットワークノード２１０からのダウンリンク送信信号の受信後に、ワイヤレスデバイス１１０は、それを復号し（アクションＳ３０６）、一般に、復号したダウンリンク送信信号に基づいて、少なくとも１つの動作上のタスクを実行する（アクションＳ３０８）。
【００７９】
次に、図１１及び図１２に着目して、無線ネットワークノード２１０の実施形態が説明されるであろう。本説明を通じて、無線ネットワークノードという表現が使用されているものの、その表現は総称として使用されていることが理解されるべきである。無線ネットワークノードは、広く、ワイヤレスデバイス及び／若しくはワイヤレス通信ネットワーク内の他の機能（例えば、管理）にとってワイヤレスアクセスを可能にし及び／若しくはそれを提供するために、ワイヤレスデバイス及び／若しくはワイヤレス通信ネットワーク内の他のネットワークノード（例えば、無線ネットワークノード、コアネットワークノードなど）と直接的に若しくは間接的に通信するように配置され、可能とされ、構成され、並びに／又は動作可能とされる、機器あるいは機器の組合せをいう。
【００８０】
とりわけ、無線ネットワークノードに言及し又はそれを説明する際に、異なる通信標準が異なる専門用語を使用している可能性がある。例えば、３ＧＰＰは、ノードＢ（ＮＢ）、進化型ノードＢ（ｅＮＢ）、次世代ノードＢ（ｇＮＢ）、次世代無線アクセスノード（ＮＧ−ＲＡＮノード）、無線ネットワークコントローラ（ＲＮＣ）及び基地局（ＢＳ）という用語を使用している。３ＧＰＰ２は、アクセスノード（ＡＮ）、基地局（ＢＳ）及び基地局コントローラ（ＢＳＣ）という用語を使用している。（ＷｉＦｉ（登録商標）としても知られる）ＩＥＥＥ８０２．１１は、アクセスポイント（ＡＰ）を使用している。理解できるように、包括的表現である無線ネットワークノードは、これら用語を包含する。
【００８１】
図１１は、いくつかの実施形態に係る例示的な無線ネットワークノード２１０のブロック図である。図示したように、無線ネットワークノード２１０は、送受信機２１２、プロセッサ２１４、メモリ２１６及び通信インタフェース２２４のうちの１つ以上を含み得る。送受信機２１０は、無線ネットワークノード２１０が（例えば、送信機（Ｔｘ）２１８、受信機（Ｒｘ）２２０及びアンテナ２２２を介して）ワイヤレスデバイス１１０との間でワイヤレス信号を送信し及びワイヤレス信号を受信することを可能にする。プロセッサ２１４は、無線ネットワークノード２１０により提供されるものとして説明した機能性のいくつか又は全てを提供するための命令群を実行する。メモリ２１６は、プロセッサ２１４により実行されるべき命令群を記憶し、及び無線ネットワークノード２１０の動作中にデータをも記憶し得る。いくつかの実施形態において、プロセッサ２１４及びメモリ２１６は、処理回路２２６を形成し得る。通信インタフェース２２４は、無線ネットワークノード２１０が他の無線ネットワークノード２１０（無線アクセスネットワークインタフェースを介する）及びコアネットワークノード３１０（コアネットワークインタフェースを介する）を含む他のネットワークノードと通信することを可能にする。
【００８２】
プロセッサ２１４は、上述したもののような、無線ネットワークノード２１０の説明した機能のうちのいくつか又は全てを実行するために命令群を実行し及びデータを操作するための任意の適したハードウェアの組合せを含み得る。いくつかの実施形態において、プロセッサ214は、例えば、１つ以上のコンピュータ、１つ以上のＣＰＵ（central processing unit）、１つ以上のマイクロプロセッサ、１つ以上のＡＳＩＣ（application specific integrated circuit）、１つ以上のＦＰＧＡ（field programmable gate array）及び／又は他のロジックを含んでもよい。
【００８３】
メモリ２１６は、概して、コンピュータプログラム、ソフトウェア、ロジック、ルール、アルゴリズム、コード、テーブルなどのうちの１つ以上を含むアプリケーション、及び／又はプロセッサ２１４により実行可能な他の命令群、といった命令群を記憶するように動作可能である。メモリ２１６の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は、無線ネットワークノード２１０のプロセッサ２１４により使用され得る情報、データ及び／若しくは命令群を記憶する任意の他の揮発性若しくは不揮発性の非一時的なコンピュータ読取可能な及び／若しくはコンピュータ実行可能なメモリデバイスを含む。
【００８４】
いくつかの実施形態において、通信インタフェース２２４は、プロセッサ２１４へ通信可能に連結されており、無線ネットワークノード２１０向けの入力を受信し、無線ネットワークノード２１０からの出力を送信し、当該入力、出力若しくは双方の適した処理を実行し、他のデバイスへ通信し、又はそれらの任意の組合せを行うように動作可能な、任意の適したデバイスへの言及であってよい。通信インタフェースは、ネットワークを通じて通信するための、プロトコル変換及びデータ処理のケイパビリティを含む、適切なハードウェア（例えば、ポート、モデム、ネットワークインタフェースカードなど）及びソフトウェアを含み得る。
【００８５】
ネットワークノード２１０の他の実施形態は、（上述した解決策をサポートするために必要とされる任意の機能性を含む）上述した機能性のいずれか及び／又は何らかの追加的な機能性を含む無線ネットワークノードの機能性の何らかの観点を提供し得る、図１１に示したもの以外の追加的なコンポーネントを含んでもよい。多様な様々なタイプのネットワークノードが、同一の物理的なハードウェアを有するコンポーネントを備えてもよいが、相異なる無線アクセス技術を（例えば、プログラミングを介して）サポートするように構成されてもよく、又は部分的に若しくは全体的に異なる物理的なコンポーネントを表してもよい。
【００８６】
図１２は、いくつかの実施形態に係る例示的な無線ネットワークノード２１０のブロック図である。図示したように、いくつかの実施形態において、無線ネットワークノード２１０は、上述した無線ネットワークノード２１０の機能性のいくつか又は全てを実装するように構成されるモジュール群（又はユニット群）２２８を含み得る。例えば図１１における無線ネットワークノード１２０のプロセッサ２１４、メモリ２１６及び送受信機２１２といったハードウェア及び／又はソフトウェアの組合せとしてモジュール群２２８が実装されてもよいことが理解されるであろう。いくつかの実施形態は、追加的な及び／又はオプションとしての機能性をサポートするための追加的なモジュール群２２８をも含んでもよい。
【００８７】
次に、図１３及び図１４に着目して、ワイヤレスデバイス（ＷＤ）１１０のいくつかの実施形態が説明されるであろう。本説明を通じて、ワイヤレスデバイスという表現が使用されているものの、その表現は総称として使用されていることが理解されるべきである。ワイヤレスデバイスは、広く、１つ以上のネットワークノード（例えば、無線ネットワークノード）及び／又は１つ以上の他のワイヤレスデバイスとワイヤレスに通信するように配置され、可能とされ、構成され、並びに／又は動作可能とされるデバイスをいう。いくつかの実施形態において、ワイヤレスデバイスは、直接的なヒューマンインタラクション無しで情報を送信し及び／又は受信するように構成されてもよい。そうしたワイヤレスデバイスは、マシンタイプ通信（ＭＴＣ）デバイス又はマシンツーマシン（Ｍ２Ｍ）デバイスと呼ばれてもよい。
【００８８】
とりわけ、ワイヤレスデバイスに言及し又はそれを説明する際に、異なる通信標準が異なる専門用語を使用している可能性がある。例えば、３ＧＰＰは、ユーザ機器（ＵＥ）、モバイル機器（ＭＥ）及びモバイル端末（ＭＴ）という用語を使用している。３ＧＰＰ２は、アクセス端末（ＡＴ）及び移動局（ＭＳ）という用語を使用している。また、（ＷｉＦｉ（登録商標）としても知られる）ＩＥＥＥ８０２．１１は、ステーション（ＳＴＡ）という用語を使用している。理解できるように、包括的表現であるワイヤレスデバイスは、これら用語を包含する。
【００８９】
図１３は、いくつかの実施形態に係る例示的なワイヤレスデバイス１１０のブロック図でる。ワイヤレスデバイス１１０は、送受信機１１２、プロセッサ１１４及びメモリ１１６のうちの１つ以上を含む。いくつかの実施形態において、送受信機１１２は、（例えば、送信機（Ｔｘ）１１８、受信機（Ｒｘ）１２０及びアンテナ１２２を介する）無線ネットワークノード２１０との間のワイヤレス信号の送信及びワイヤレス信号の受信を促進する。プロセッサ１１４は、ワイヤレスデバイス１１０により提供されるものとして説明した機能性のいくつか又は全てを提供するための命令群を実行し、メモリ１１６は、プロセッサ１１４により実行されるべき命令群を記憶し、及びワイヤレスデバイス１１０の動作中にデータをも記憶し得る。いくつかの実施形態において、プロセッサ１１４及びメモリ１１６は、処理回路１２４を形成する。
【００９０】
プロセッサ１１４は、上述したワイヤレスデバイス１１０の機能などの、ワイヤレスデバイス１１０の説明した機能のうちのいくつか又は全てを実行するために命令群を実行し及びデータを操作するための任意の適したハードウェアの組合せを含み得る。いくつかの実施形態において、プロセッサ１１４は、例えば、１つ以上のコンピュータ、１つ以上のＣＰＵ（central processing unit）、１つ以上のマイクロプロセッサ、１つ以上のＡＳＩＣ（application specific integrated circuit）、１つ以上のＦＰＧＡ（field programmable gate array）及び／又は他のロジックを含んでもよい。
【００９１】
メモリ１１６は、概して、コンピュータプログラム、ソフトウェア、ロジック、ルール、アルゴリズム、コード、テーブルなどのうちの１つ以上を含むアプリケーション、及び／又はプロセッサ１１４により実行可能な他の命令群、といった命令群を記憶するように動作可能である。メモリ１１６の例は、コンピュータメモリ（例えば、ランダムアクセスメモリ（ＲＡＭ）若しくは読取り専用メモリ（ＲＯＭ））、大容量記憶媒体（例えば、ハードディスク）、リムーバブル記憶媒体（例えば、コンパクトディスク（ＣＤ）若しくはデジタルビデオディスク（ＤＶＤ））、並びに／又は、ワイヤレスデバイス１１０のプロセッサ１１４により使用され得る情報、データ及び／若しくは命令群を記憶する任意の他の揮発性若しくは不揮発性の非一時的なコンピュータ読取可能な及び／若しくはコンピュータ実行可能なメモリデバイスを含む。
【００９２】
ワイヤレスデバイス１１０の他の実施形態は、（上述した解決策をサポートするために必要とされる任意の機能性を含む）上述した機能性のいずれか及び／又は何らかの追加的な機能性を含むワイヤレスデバイスの機能性の何らかの観点を提供することに責任を有し得る、図１３に示したもの以外の追加的なコンポーネントを含んでもよい。単なる１つ例として、ワイヤレスデバイス１１０は、入力デバイス及び回路、出力デバイス、並びに１つ以上の同期ユニット又は回路を含んでもよく  これらはプロセッサの一部であってもよい。入力デバイスは、ワイヤレスデバイス１１０へデータを入力するための仕組みを含む。一例として、ワイヤレスデバイス１１０は、入力デバイス及び出力デバイスといった追加的なハードウェア１２６を含んでもよい。入力デバイスは、マイクロフォン、入力エレメント、ディスプレイなどといった仕組みを含む。出力デバイスは、音声、映像及び／又はハードコピーの形式でデータを出力するための仕組みを含む。例えば、出力デバイスは、スピーカ、ディスプレイなどを含んでもよい。
【００９３】
図１４は、いくつかの実施形態に係る他の例示的なワイヤレスデバイス１１０のブロック図でる。図示したように、いくつかの実施形態において、ワイヤレスデバイス１１０は、上述したワイヤレスデバイス１１０の機能性のいくつか又は全てを実装するように構成されるモジュール群（又はユニット群）１２８を含み得る。例えば図１３に示したワイヤレスデバイス１１０のプロセッサ１１４、メモリ１１６及び送受信機１１２といったハードウェア及び／又はソフトウェアの組合せとしてモジュール群１２８が実装されてもよいことが理解されるであろう。いくつかの実施形態は、追加的な及び／又はオプションとしての機能性をサポートするための追加的なモジュール群１２８を含んでもよい。
【００９４】
いくつかの実施形態は、（媒体上に具現化されたコンピュータ読取可能なプログラムコードを有する、コンピュータ読取可能な媒体、プロセッサ読取可能な媒体、又はコンピュータ使用可能な媒体とも呼ばれる）マシン読取可能な媒体内に記憶される非一時的なソフトウェアプロダクトとして表現されてもよい。マシン読取可能な媒体は、ディスケット、ＣＤ−ＲＯＭ（compact  disk  read  only  memory）、ＤＶＤ−ＲＯＭ（digital  versatile  disc  read  only  memory）メモリデバイス（揮発性若しくは不揮発性）、又は類似の記憶メカニズムを含む、磁気的な、光学的な、又は電気的な記憶媒体を含む、任意の適した有形の媒体であってよい。マシン読取可能な媒体は、命令、コード、シーケンス、構成情報又は他のデータの多様なセットを収容してよく、それらは、実行時に説明した実施形態のうちの１つ以上に係る方法のステップ群をプロセッサに実行させる。当業者は、説明した実施形態を実装するために必要な他の命令及び動作もまたマシン読取可能な媒体に記憶されてもよいことを理解するであろう。マシン読取可能な媒体から実行されるソフトウェアは、説明したタスクを実行するために回路とインタフェースし得る。
【００９５】
上述した実施形態は、例に過ぎない。本説明のスコープから逸脱することなく、具体的な実施形態に対し、当業者により変形、修正及び変更がなされてもよい。
【００９６】
［略語及び頭字語］
本説明は、次の略語及び／又は頭字語を含んでいるかもしれない：
３ＧＰＰ            第三世代パートナーシッププロジェクト
ＡＭＦ              アクセス管理機能
ＣＮ                コアネットワーク
ＣＲＳ              共通リファレンス信号
ＣＳＩ−ＲＳ        チャネル状態情報リファレンス信号
Ｄ２Ｄ              デバイスツーデバイス
ＤＣＩ              ダウンリンク制御情報
ＤＭＲＳ            復調リファレンス信号
ｅＮＢ              進化型ノードＢ
ＥＰＣ              進化型パケットコア
Ｅ−ＵＴＲＡＮ      進化型ユニバーサル地上無線アクセスネットワーク
ＧＧＳＮ            ゲートウェイＧＰＲＳサポートノード
ｇＮＢ              次世代ノードＢ（ＮＲをサポートするノードＢ）
ＬＴＥ              ロングタームエボリューション
ＭＭＥ              モビリティ管理エンティティ
ＮＢ                ノードＢ
ＮＧＣ              次世代コア
ＮＧ−ＲＡＮ        次世代無線アクセスネットワーク
ＮＲ                新無線
ＯＦＤＭ            直交周波数分割多重
ＰＤＳＣＨ          物理ダウンリンク共有チャネル
ＰＧＷ              パケットデータネットワークゲートウェイ
ＲＡＮ              無線アクセスネットワーク
ＲＮＣ              無線ネットワークコントローラ
ＲＳ                リファレンス信号
ＴＲＳ              追跡リファレンス信号
ＵＥ                ユーザ機器
【００９７】
［関連する規格の参照］
以下の参照先が本説明に関連し得る：
３ＧＰＰ  ＴＳ３８．２１１ｖ１５．２．０
３ＧＰＰ  ＴＳ３８．２１４ｖ１５．２．０
３ＧＰＰ  ＴＳ３８．３３１ｖ１５．２．１
【図１】
2022502895.tif 000005
【図２】
2022502895.tif 000006
【図３】
2022502895.tif 000007
【図４】
2022502895.tif 000008
【図５】
2022502895.tif 000009
【図６】
2022502895.tif 000010
【図７】
2022502895.tif 000011
【図８】
2022502895.tif 000012
【図９】
2022502895.tif 000013
【図１０】
2022502895.tif 000014
【図１１】
2022502895.tif 000015
【図１２】
2022502895.tif 000016
【図１３】
2022502895.tif 000017
【図１４】
2022502895.tif 000018
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
第１無線アクセス技術及び第２無線アクセス技術に従って動作する無線ネットワークノードにおける方法であって、前記第１無線アクセス技術及び前記第２無線アクセス技術は、同一のサブキャリア間隔を使用し、前記方法は、
前記第１無線アクセス技術及び前記第２無線アクセス技術が同一のキャリア上で共存していることを示すインジケーションをワイヤレスデバイスへ送信することと、
前記第１無線アクセス技術に従って動作する前記ワイヤレスデバイスへダウンリンク送信信号を送信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置し、前記第２シンボル位置は、前記第１シンボル位置の前又は前記第１シンボル位置の後のいずれかである、送信することと、を含む、方法。
【請求項２】
請求項１に記載の方法であって、前記インジケーションは、ブロードキャストシグナリングにおいて又は専用シグナリングにおいて送信される、方法。
【請求項３】
請求項１に記載の方法であって、前記インジケーションは、システム情報ブロック（ＳＩＢ）メッセージにおいて又は無線リソース制御（ＲＲＣ）メッセージにおいて送信される、方法。
【請求項４】
請求項３に記載の方法であって、前記インジケーションは、前記ＲＲＣメッセージの情報要素におけるパラメータである、方法。
【請求項５】
請求項４に記載の方法であって、前記パラメータは、lte-CRS-ToMatchAroundというパラメータである、方法。
【請求項６】
請求項１〜５のいずれか１項に記載の方法であって、前記第２シンボル位置は、前記第１シンボル位置の少なくとも１シンボル前である、方法。
【請求項７】
請求項１〜５のいずれか１項に記載の方法であって、前記第２シンボル位置は、前記第１シンボル位置の少なくとも１シンボル後である、方法。
【請求項８】
請求項１〜７のいずれか１項に記載の方法であって、前記第１無線アクセス技術は、新無線（ＮＲ）無線アクセス技術である、方法。
【請求項９】
請求項１〜８のいずれか１項に記載の方法であって、前記第２無線アクセス技術は、ロングタームエボリューション（ＬＴＥ）無線アクセス技術である、方法。
【請求項１０】
請求項１〜９のいずれか１項に記載の方法であって、前記第１無線アクセス技術の前記リファレンス信号は、復調リファレンス信号（ＤＭＲＳ）である、方法。
【請求項１１】
請求項１〜１０のいずれか１項に記載の方法であって、前記第２無線アクセス技術の前記リファレンス信号は、共通又はセルリファレンス信号（ＣＲＳ）である、方法。
【請求項１２】
第１無線アクセス技術及び第２無線アクセス技術に従って動作するように構成される無線ネットワークノードであって、前記第１無線アクセス技術及び前記第２無線アクセス技術は、同一のサブキャリア間隔を使用し、前記無線ネットワークノードは、
前記第１無線アクセス技術及び前記第２無線アクセス技術が同一のキャリア上で共存していることを示すインジケーションをワイヤレスデバイスへ送信することと、
前記第１無線アクセス技術に従って動作する前記ワイヤレスデバイスへダウンリンク送信信号を送信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置し、前記第２シンボル位置は、前記第１シンボル位置の前又は前記第１シンボル位置の後のいずれかである、送信することと、
を行うように適合される、無線ネットワークノード。
【請求項１３】
請求項１２に記載の無線ネットワークノードであって、前記インジケーションは、ブロードキャストシグナリングにおいて又は専用シグナリングにおいて送信される、無線ネットワークノード。
【請求項１４】
請求項１２に記載の無線ネットワークノードであって、前記インジケーションは、システム情報ブロック（ＳＩＢ）メッセージにおいて又は無線リソース制御（ＲＲＣ）メッセージにおいて送信される、無線ネットワークノード。
【請求項１５】
請求項１４に記載の無線ネットワークノードであって、前記インジケーションは、前記ＲＲＣメッセージの情報要素におけるパラメータである、無線ネットワークノード。
【請求項１６】
請求項１５に記載の無線ネットワークノードであって、前記パラメータは、lte-CRS-ToMatchAroundというパラメータである、無線ネットワークノード。
【請求項１７】
請求項１２〜１６のいずれか１項に記載の無線ネットワークノードであって、前記第２シンボル位置は、前記第１シンボル位置の少なくとも１シンボル前である、無線ネットワークノード。
【請求項１８】
請求項１２〜１６のいずれか１項に記載の無線ネットワークノードであって、前記第２シンボル位置は、前記第１シンボル位置の少なくとも１シンボル後である、無線ネットワークノード。
【請求項１９】
請求項１２〜１８のいずれか１項に記載の無線ネットワークノードであって、前記第１無線アクセス技術は、新無線（ＮＲ）無線アクセス技術である、無線ネットワークノード。
【請求項２０】
請求項１２〜１９のいずれか１項に記載の無線ネットワークノードであって、前記第２無線アクセス技術は、ロングタームエボリューション（ＬＴＥ）無線アクセス技術である、無線ネットワークノード。
【請求項２１】
請求項１２〜２０のいずれか１項に記載の無線ネットワークノードであって、前記第１無線アクセス技術の前記リファレンス信号は、復調リファレンス信号（ＤＭＲＳ）である、無線ネットワークノード。
【請求項２２】
請求項１２〜２１のいずれか１項に記載の無線ネットワークノードであって、前記第２無線アクセス技術の前記リファレンス信号は、共通又はセルリファレンス信号（ＣＲＳ）である、無線ネットワークノード。
【請求項２３】
コンピュータ読取可能な命令群を有するコンピュータプログラムであって、前記コンピュータ読取可能な命令群が無線ネットワークノードの処理回路により実行された場合に、前記コンピュータ読取可能な命令群は、請求項１〜１１のいずれか１項に記載の方法に従って前記無線ネットワークノードが動作することを可能にする、コンピュータプログラム。
【請求項２４】
第１無線アクセス技術に従って動作するワイヤレスデバイスにおける方法であって、前記方法は、
前記第１無線アクセス技術及び第２無線アクセス技術に従って動作する無線ネットワークノードからインジケーションを受信することであって、前記第１無線アクセス技術及び前記第２無線アクセス技術は同一のサブキャリア間隔を使用し、前記インジケーションは前記第１無線アクセス技術及び前記第２無線アクセス技術が同一のキャリア上で共存していることを示す、受信することと、
前記無線ネットワークノードからダウンリンク送信信号を受信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置し、前記第２シンボル位置は、前記第１シンボル位置の前又は前記第１シンボル位置の後のいずれかである、受信することと、を含む、方法。
【請求項２５】
請求項２４に記載の方法であって、前記インジケーションは、ブロードキャストシグナリングにおいて又は専用シグナリングにおいて受信される、方法。
【請求項２６】
請求項２４に記載の方法であって、前記インジケーションは、システム情報ブロック（ＳＩＢ）メッセージにおいて又は無線リソース制御（ＲＲＣ）メッセージにおいて受信される、方法。
【請求項２７】
請求項２６に記載の方法であって、前記インジケーションは、前記ＲＲＣメッセージの情報要素におけるパラメータである、方法。
【請求項２８】
請求項２７に記載の方法であって、前記パラメータは、lte-CRS-ToMatchAroundというパラメータである、方法。
【請求項２９】
請求項２４〜２８のいずれか１項に記載の方法であって、前記第２シンボル位置は、前記第１シンボル位置の少なくとも１シンボル前である、方法。
【請求項３０】
請求項２４〜２８のいずれか１項に記載の方法であって、前記第２シンボル位置は、前記第１シンボル位置の少なくとも１シンボル後である、方法。
【請求項３１】
請求項２４〜３０のいずれか１項に記載の方法であって、前記第１無線アクセス技術は、新無線（ＮＲ）無線アクセス技術である、方法。
【請求項３２】
請求項２４〜３１のいずれか１項に記載の方法であって、前記第２無線アクセス技術は、ロングタームエボリューション（ＬＴＥ）無線アクセス技術である、方法。
【請求項３３】
請求項２４〜３２のいずれか１項に記載の方法であって、前記第１無線アクセス技術の前記リファレンス信号は、復調リファレンス信号（ＤＭＲＳ）である、方法。
【請求項３４】
請求項２４〜３３のいずれか１項に記載の方法であって、前記第２無線アクセス技術の前記リファレンス信号は、共通又はセルリファレンス信号（ＣＲＳ）である、方法。
【請求項３５】
第１無線アクセス技術に従って動作するように構成されるワイヤレスデバイスであって、前記ワイヤレスデバイスは、
前記第１無線アクセス技術及び第２無線アクセス技術に従って動作する無線ネットワークノードからインジケーションを受信することであって、前記第１無線アクセス技術及び前記第２無線アクセス技術は同一のサブキャリア間隔を使用し、前記インジケーションは前記第１無線アクセス技術及び前記第２無線アクセス技術が同一のキャリア上で共存していることを示す、受信することと、
前記無線ネットワークノードからダウンリンク送信信号を受信することであって、前記ダウンリンク送信信号は前記第１無線アクセス技術のリファレンス信号を含み、前記第１無線アクセス技術の前記リファレンス信号は、前記第１無線アクセス技術の当該リファレンス信号が前記第２無線アクセス技術のリファレンス信号と衝突しないと判定される場合に前記ダウンリンク送信信号内の第１シンボル位置に位置し、前記第１無線アクセス技術の前記リファレンス信号は、前記第１無線アクセス技術の当該リファレンス信号が前記第２無線アクセス技術の前記リファレンス信号と衝突すると判定される場合に前記ダウンリンク送信信号内の第２シンボル位置に位置し、前記第２シンボル位置は、前記第１シンボル位置の前又は前記第１シンボル位置の後のいずれかである、受信することと、
を行うように適合される、ワイヤレスデバイス。
【請求項３６】
請求項３５に記載のワイヤレスデバイスであって、前記インジケーションは、ブロードキャストシグナリングにおいて又は専用シグナリングにおいて受信される、ワイヤレスデバイス。
【請求項３７】
請求項３５に記載のワイヤレスデバイスであって、前記インジケーションは、システム情報ブロック（ＳＩＢ）メッセージにおいて又は無線リソース制御（ＲＲＣ）メッセージにおいて受信される、ワイヤレスデバイス。
【請求項３８】
請求項３７に記載のワイヤレスデバイスであって、前記インジケーションは、前記ＲＲＣメッセージの情報要素におけるパラメータである、ワイヤレスデバイス。
【請求項３９】
請求項３８に記載のワイヤレスデバイスであって、前記パラメータは、lte-CRS-ToMatchAroundというパラメータである、ワイヤレスデバイス。
【請求項４０】
請求項３５〜３９のいずれか１項に記載のワイヤレスデバイスであって、前記第２シンボル位置は、前記第１シンボル位置の少なくとも１シンボル前である、ワイヤレスデバイス。
【請求項４１】
請求項３５〜３９のいずれか１項に記載のワイヤレスデバイスであって、前記第２シンボル位置は、前記第１シンボル位置の少なくとも１シンボル後である、ワイヤレスデバイス。
【請求項４２】
請求項３５〜４１のいずれか１項に記載のワイヤレスデバイスであって、前記第１無線アクセス技術は、新無線（ＮＲ）無線アクセス技術である、ワイヤレスデバイス。
【請求項４３】
請求項３５〜４２のいずれか１項に記載のワイヤレスデバイスであって、前記第２無線アクセス技術は、ロングタームエボリューション（ＬＴＥ）無線アクセス技術である、ワイヤレスデバイス。
【請求項４４】
請求項３５〜４３のいずれか１項に記載のワイヤレスデバイスであって、前記第１無線アクセス技術の前記リファレンス信号は、復調リファレンス信号（ＤＭＲＳ）である、ワイヤレスデバイス。
【請求項４５】
請求項３５〜４４のいずれか１項に記載のワイヤレスデバイスであって、前記第２無線アクセス技術の前記リファレンス信号は、共通又はセルリファレンス信号（ＣＲＳ）である、ワイヤレスデバイス。
【請求項４６】
コンピュータ読取可能な命令群を有するコンピュータプログラムであって、前記コンピュータ読取可能な命令群がワイヤレスデバイスの処理回路により実行された場合に、前記コンピュータ読取可能な命令群は、請求項２４〜３４のいずれか１項に記載の方法に従って前記ワイヤレスデバイスが動作することを可能にする、コンピュータプログラム。
【手続補正２】
【補正対象書類名】明細書
【補正対象項目名】０００９
【補正方法】変更
【補正の内容】
【０００９】
［ＬＴＥ  ＣＲＳ］
ＬＴＥでは、ダウンリンクサブフレームにおけるＣＲＳ位置は、密であり、（ＬＴＥ  ＣＲＳポート０及び１と表記される）２個のＣＲＳポートが構成される場合、スロットインデックス０、４、７及び１１を有するリソースエレメントシンボルを占める（図２参照）。４個のＣＲＳポートが構成される場合、ＣＲＳは、スロットインデックス０、１、４、７、８及び１１を有するシンボルを占める。しかしながら、４個のポートが構成されるケースでは、３番目及び４番目のポート（ＣＲＳポート２及び３）は、ＰＤＳＣＨを受信する際にのみ使用され、モビリティ測定のためには使用されず、なぜならそれら測定はＬＴＥポート０又は１についてのみ定義されているからである。
【手続補正３】
【補正対象書類名】明細書
【補正対象項目名】００３３
【補正方法】変更
【補正の内容】
【００３３】
よって、いくつかの実施形態は、スロット全体（１４シンボル）でＮＲ  ＰＤＳＣＨを送信することを可能にし、ＬＴＥと共存しながら動作する場合のＮＲの平均スループット及びピークスループットの増加をもたらすであろう。
【国際調査報告】
2022502895.tif 000019
2022502895.tif 000020
2022502895.tif 000021